(57)【特許請求の範囲】
【請求項１】
複数のキーが配置された携帯端末であって、
前記キーにユーザが接触したことを検出する接触検出部と、
前記キーにユーザが接触したことが検出されると、ユーザが接触した前記キーを有効接触キーとして特定するキー特定部と、
前記キー特定部によって特定された前記有効接触キーに割り付けられた機能に係る表示を変更する表示変更部とを備え、
前記接触検出部は、複数の前記キーにユーザが接触したことを検出し、
複数の前記キーは、前記携帯端末の左右方向に伸びる複数の行にそれぞれ配置され、
前記複数の行は、前記携帯端末の上下方向に並べられており、
ユーザが接触した複数の前記キーのうち、最も上段の前記行に配置された前記キーである上段接触キーが複数である場合に、複数の前記上段接触キーの位置に応じて定められる一の位置である上段代表位置を特定する上段位置特定部と、
ユーザが接触した複数の前記キーのうち、前記上段接触キーよりも下段に配置された前記キーである下段接触キーの位置に応じて定められる一の位置である下段代表位置を特定する下段位置特定部とをさらに備え、
前記キー特定部は、前記上段接触キーが複数である場合に、前記上段代表位置と前記下段代表位置との前記左右方向における位置関係に応じて、複数の前記上段接触キーの中から前記有効接触キーを特定することを特徴とする携帯端末。
【請求項２】
前記キー特定部は、前記上段接触キーが一つである場合に、前記上段接触キーを前記有効接触キーとして特定することを特徴とする請求項１に記載の携帯端末。
【請求項３】
前記位置関係に応じて前記有効接触キーを特定した履歴を特定履歴結果として記憶する特定結果記憶部を備え、
前記キー特定部は、前記上段代表位置と前記下段代表位置との前記左右方向における位置が同じである場合に、前記特定履歴結果を参照して前記有効接触キーを特定することを特徴とする請求項１に記載の携帯端末。
【請求項４】
ユーザが接触した前記キーと、前記キーにユーザが接触したことが検出された時刻である接触時刻とを対応付けて記憶する接触時刻記憶部と、
複数の前記キーにユーザが接触すると、ユーザが接触した前記キーのいずれかと隣接する前記キーを一のキー群として、ユーザが接触した前記キーを前記キー群にグループ化するグループ化部とを備え、
前記キー特定部は、前記キー群が複数である場合に、前記接触時刻が最も遅い前記キーを含む前記キー群を特定し、特定した前記キー群に含まれる前記キーの中から一の前記キーを前記有効接触キーとして特定することを特徴とする請求項１に記載の携帯端末。
【請求項５】
複数のキーが配置された携帯端末に用いられるプログラムであって、コンピュータに、
前記キーにユーザが接触したことを検出するステップＡと、
複数の前記キーにユーザが接触したことが検出されると、ユーザが接触した複数の前記キーの中から一の前記キーを前記有効接触キーとして特定するステップＢと、
前記有効接触キーに割り付けられた機能に係る表示を変更するステップＣとを実行させ、
複数の前記キーは、前記携帯端末の左右方向に伸びる複数の行にそれぞれ配置され、
前記複数の行は、前記携帯端末の上下方向に並べられており、
前記ステップＢは、
ユーザが接触した複数の前記キーのうち、最も上段の前記行に配置された前記キーである上段接触キーが複数である場合に、複数の前記上段接触キーの位置に応じて定められる一の位置である上段代表位置を特定するステップと、
ユーザが接触した複数の前記キーのうち、前記上段接触キーよりも下段に配置された前記キーである下段接触キーの位置に応じて定められる一の位置である下段代表位置を特定するステップと、
前記上段接触キーが複数である場合に、前記上段代表位置と前記下段代表位置との前記左右方向における位置関係に応じて、複数の前記上段接触キーの中から前記有効接触キーを特定するステップとを含むことを特徴とするプログラム。
【発明の詳細な説明】
【技術分野】
【０００１】
本発明は、複数のキーが配置されており、ユーザがキーに接触したことを検出する携帯端末、及び、この携帯端末に用いられるプログラムに関する。
【背景技術】
【０００２】
従来、携帯電話などのような携帯端末として、電話番号などを入力する１２キー（「０」〜「９」、「＊」、「＃」）に加えて、オンフック機能、オフフック機能及びメニュー画面を呼び出す機能などを実行するための機能キーが設けられた携帯端末が知られている。また、近年、携帯端末の機能は高度化しており、高度な機能をユーザが利用するために、１２キーや機能キーに複数の機能が割り付けられている。
【０００３】
このような携帯端末では、各キーに割り付けられた機能は、携帯端末の動作モードに応じて異なっているため、各キーに割り付けられた機能をユーザが把握することが困難であり、キーの誤操作が生じやすかった。
【０００４】
また、各キーに割り付けられた機能をユーザが把握していたとしても、周囲が暗い中で携帯端末が用いられることが想定されるため、周囲が暗い中でユーザが携帯端末を操作すると、キーの誤操作が生じやすかった。
【０００５】
一方、キーの誤操作を防止することを目的とした携帯端末として、ユーザがキーに接触したことを検出する機能を有しており、ユーザがキーに接触すると、ユーザがキーを押下する前に、ユーザが接触したキーに割り付けられた機能に係る説明を表示する携帯端末が提案されている（例えば、特許文献１）。
【０００６】
具体的には、携帯端末は、ユーザの指がキーに接触したことを検出すると、ユーザが接触したキーに割り付けられた文字を表示領域に表示するとともに、ユーザの指がキーから離れたことを検出すると、表示領域に表示された文字を確定する。
【０００７】
なお、ユーザがキーに接触したことを検出する方式としては、アナログ方式とディスクリート方式とが挙げられる。
【０００８】
アナログ方式の一方式として、抵抗膜が用いられる抵抗膜方式がある。抵抗膜方式では、抵抗分割によって電圧値を求めることによって、ユーザがキーに接触したことが検出される。一方、ディスクリート方式では、キー毎に複数の検出素子が設けられている。ディスクリート方式の一方式では、キー毎に設けられた各電極と人体との間に生じる容量が求められ、容量が変化した電極を検出することによって、ユーザがキーに接触したことが検出される。
【０００９】
アナログ方式では、一般に、１点の座標しか検出することができないのに対して、ディスクリート方式では、２点以上の座標を検出することができる。従って、ディスクリート方式をタッチパッドに適用すると、複数のキーにユーザが接触したことを検出することが可能となり、ユーザインターフェースの設計の幅が広がるというメリットがある。
【特許文献１】特開2002-55766号公報
【発明の開示】
【発明が解決しようとする課題】
【００１０】
しかしながら、ユーザが一つのキーに接触しようとして、誤って複数のキーに接触してしまうと、ユーザが意図して接触したキーを特定することが困難であった。
【００１１】
そこで、本発明は、上述した課題を解決するためになされたものであり、ユーザが誤って複数のキーに接触した場合などであっても、ユーザが意図して接触したキーを特定する精度を高めることが可能な携帯端末、及び、この携帯端末に用いられるプログラムを提供することを目的とする。
【課題を解決するための手段】
【００１２】
本発明の第１の特徴は、複数のキーが配置された携帯端末が、前記キーにユーザが接触したことを検出する接触検出部（タッチパッド１０ｂ、接触検出インターフェース１１）と、前記キーにユーザが接触したことが検出されると、ユーザが接触した前記キーを有効接触キーとして特定するキー特定部（制御部１４）と、前記キー特定部によって特定された前記有効接触キーに割り付けられた機能に係る表示を変更する表示変更部（表示制御部１５、表示部２０）とを備え、前記接触検出部が、複数の前記キーにユーザが接触したことを検出し、前記キー特定部が、複数の前記キーにユーザが接触したことが検出されると、前記キーの配列に応じて定められたキー特定基準に従って、ユーザが接触した複数の前記キーの中から一の前記キーを前記有効接触キーとして特定することを要旨とする。
【００１３】
かかる特徴によれば、キー特定部が、複数のキーにユーザが接触したことが検出されると、キーの配列に応じて定められたキー特定基準に従って、ユーザが接触した複数のキーの中から一のキーを有効接触キーとして特定する。
【００１４】
このように、ユーザが誤って接触してしまったキーとユーザが意図して接触したキーとは、互いに近くに配置されている可能性が高いことに着目して、キー特定基準は、キーの配列に応じて定められている。
【００１５】
従って、携帯端末は、ユーザが誤って複数のキーに接触した場合などであっても、ユーザが意図して接触したキーを特定する精度を高めることができる。
【００１６】
本発明の第２の特徴は、本発明の第１の特徴において、複数の前記キーが、前記携帯端末の左右方向に伸びる複数の行にそれぞれ配置され、前記複数の行が、前記携帯端末の上下方向に並べられており、前記キー特定部が、ユーザが接触した複数の前記キーのうち、最も上段の前記行に配置された前記キーである上段接触キーが一つである場合に、前記上段接触キーを前記有効接触キーとして特定することを要旨とする。
【００１７】
本発明の第３の特徴は、本発明の第２の特徴において、前記上段接触キーが複数である場合に、複数の前記上段接触キーの位置に応じて定められる一の位置である上段代表位置を特定する上段位置特定部（重心座標検出部１６）と、ユーザが接触した複数の前記キーのうち、前記上段接触キーよりも下段に配置された前記キーである下段接触キーの位置に応じて定められる一の位置である下段代表位置を特定する下段位置特定部（重心座標検出部１６）とを備え、前記キー特定部が、前記上段接触キーが複数である場合に、前記上段代表位置と前記下段代表位置との前記左右方向における位置関係に応じて、複数の前記上段接触キーの中から前記有効接触キーを特定することを要旨とする。
【００１８】
本発明の第４の特徴は、本発明の第３の特徴において、前記位置関係に応じて前記有効接触キーを特定した履歴を特定履歴結果として記憶する特定結果記憶部（特定履歴記憶部１７）を備え、前記キー特定部が、前記上段代表位置と前記下段代表位置との前記左右方向における位置が同じである場合に、前記特定履歴結果を参照して前記有効接触キーを特定することを要旨とする。
【００１９】
本発明の第５の特徴は、本発明の第１の特徴において、ユーザが接触した前記キーと、前記キーにユーザが接触したことが検出された時刻である接触時刻とを対応付けて記憶する接触時刻記憶部（接触時刻記憶部１９）と、複数の前記キーにユーザが接触すると、ユーザが接触した前記キーのいずれかと隣接する前記キーを一のキー群として、ユーザが接触した前記キーを前記キー群にグループ化するグループ化部（グループ化部１８）とを備え、前記キー特定部が、前記キー群が複数である場合に、前記接触時刻が最も遅い前記キーを含む前記キー群を特定し、特定した前記キー群に含まれる前記キーの中から一の前記キーを前記有効接触キーとして特定することを要旨とする。
【００２０】
本発明の第６の特徴は、複数のキーが配置された携帯端末に用いられるプログラムが、前記キーにユーザが接触したことを検出するステップと、複数の前記キーにユーザが接触したことが検出されると、前記キーの配列に応じて定められたキー特定基準に従って、ユーザが接触した複数の前記キーの中から一の前記キーを前記有効接触キーとして特定するステップと、前記有効接触キーに割り付けられた機能に係る表示を変更するステップとをコンピュータに実行させることを要旨とする。
【発明の効果】
【００２１】
本発明によれば、ユーザが誤って複数のキーに接触した場合などであっても、ユーザが意図して接触したキーを特定する精度を高めることが可能な携帯端末、及び、この携帯端末に用いられるプログラムを提供することができる。
【発明を実施するための最良の形態】
【００２２】
以下において、本発明の実施形態に係る携帯端末について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。
【００２３】
［第１実施形態］
（携帯端末の構成）
以下において、本発明の第１実施形態に係る携帯端末の構成について、図面を参照しながら説明する。図１は、本発明の第１実施形態に係る携帯端末１００を示す外観図である。
【００２４】
図１に示すように、携帯端末１００は、本体部１０と表示部２０とを有しており、本体部１０には、複数のキー３０が設けられている。なお、キー３０とは、「０」〜「９」、「＊」、「＃」及び「クリア」などのキーやソフトキーである。また、各キー３０は、携帯端末１００の左右方向に伸びる複数の行を形成するように配置されており、各行は、携帯端末１００の上下方向に並べられている。
【００２５】
本体部１０は、後述する制御基板１０ｃを有しており、押下されたキー３０に割り付けられた機能を実行する。なお、機能とは、文字を入力する機能、短縮ダイヤル機能、各種画面を呼び出す機能、各種アプリケーションを起動する機能、各種コンテンツを出力する機能などである。
【００２６】
表示部２０には、各機能に係る説明などが表示される。また、表示部２０には、機能によって呼び出された各種画面、機能によって起動された各種アプリケーションなどが表示される。
【００２７】
図２は、本発明の第１実施形態に係る携帯端末１００を示す分解図である。図２に示すように、本体部１０は、キー配置面１０ａと、タッチパッド１０ｂと、制御基板１０ｃとを有する。
【００２８】
キー配置面１０ａは、キー３０を保持するシート状の部材であり、キー３０が嵌め込まれる複数の孔（不図示）を有している。
【００２９】
タッチパッド１０ｂは、各キー３０にユーザが接触したことを検出する。なお、タッチパッド１０ｂは、ユーザが複数のキー３０に接触したことも検出する。例えば、タッチパッド１０ｂとしては、ディスクリート方式のタッチパッドが用いられる。
【００３０】
制御基板１０ｃは、タッチパッド１０ｂによる検出結果に応じて携帯端末１００を制御する。なお、制御基板１０ｃの詳細については後述する（図３を参照）。
【００３１】
（制御基板の構成）
以下において、上述した制御基板１０ｃの構成について、図面を参照しながら説明する。図３は、本発明の第１実施形態に係る制御基板１０ｃを示すブロック図である。
【００３２】
図３に示すように、制御基板１０ｃは、接触検出インターフェース１１と、押下検出インターフェース１２と、キー割付情報記憶部１３と、制御部１４と、表示制御部１５とを有する。
【００３３】
接触検出インターフェース１１は、タッチパッド１０ｂに接続されており、各キー３０にユーザが接触したことを示す信号をタッチパッド１０ｂから取得する。
【００３４】
押下検出インターフェース１２は、各キー３０に接続されており、各キー３０をユーザが押下したことを示す信号を取得する。
【００３５】
キー割付情報記憶部１３は、キー３０の種類と各キー３０に割り付けられた機能とを対応付ける情報をキー割付情報として記憶する。なお、キー割付情報の詳細については後述する（図４を参照）。
【００３６】
制御部１４は、ユーザが接触したキー３０を有効接触キーとして特定する。具体的には、制御部１４は、ユーザが接触したキー３０が一つである場合には、そのキー３０を有効接触キーとして特定する。また、制御部１４は、ユーザが接触したキー３０が複数である場合には、キー３０の配列に応じて定められたキー特定基準に従って、ユーザが接触した複数のキー３０の中から一のキー３０を有効接触キーとして特定する。
【００３７】
なお、第１実施形態では、上述したキー特定基準は、ユーザが接触したキー３０のうち、最も上段の行に配置されたキー３０（以下、上段接触キー）が一つである場合に、その上段接触キーを有効接触キーとする基準である。
【００３８】
また、制御部１４は、有効接触キーとして特定されたキー３０の種類に応じて、そのキー３０に割り付けられた機能に係る表示の変更を表示制御部１５に指示する。さらに、制御部１４は、ユーザが押下したキー３０の種類に応じて、そのキー３０に割り付けられた機能を実行する。
【００３９】
表示制御部１５は、制御部１４の指示に応じて、キー３０に割り付けられた機能に係る表示を変更する。なお、機能に係る説明とは、機能の種類を示す文字列やアイコンなどである。また、第１実施形態において、機能に係る表示の変更とは、各キー３０にそれぞれ割り付けられた機能に係る説明の全てが予め表示されており、ユーザが接触したキー３０に割り付けられた機能に係る説明がフォーカスして表示されることを含む概念である。また、機能に係る表示の変更とは、各キー３０にそれぞれ割り付けられた機能に係る説明が予め表示されておらず、ユーザが接触したキー３０に割り付けられた機能に係る説明が新たに表示されることを含む概念である。
【００４０】
（キー割付情報）
以下において、上述したキー割付情報について、図面を参照しながら説明する。図４は、本発明の第１実施形態に係るキー割付情報を示す図である。
【００４１】
図４に示すように、キー割付情報は、キー３０の種類と各キー３０に割り付けられた機能とを対応付ける情報である。例えば、「１」キーには、メール編集画面を呼び出す機能が割り付けられており、「２」キーには、ネットワークに接続する機能が割り付けられている。
【００４２】
（携帯端末の動作）
以下において、上述した携帯端末１００の動作について、図面を参照しながら説明する。図５は、本発明の第１実施形態に係る携帯端末１００の動作を示すフロー図である。
【００４３】
図５に示すように、ステップ１００において、携帯端末１００は、キー３０に対するユーザの接触状態を監視する。
【００４４】
ステップ１１０において、携帯端末１００は、ユーザが接触したキー３０が複数であるか否かを判定する。また、携帯端末１００は、ユーザが接触したキー３０が一つである場合には、ステップ１２０の処理に移り、ユーザが接触したキー３０が複数である場合には、ステップ１３０の処理に移る。
【００４５】
ステップ１２０において、携帯端末１００は、ユーザが接触したキー３０を有効接触キーとして特定する。
【００４６】
ステップ１３０において、携帯端末１００は、ユーザが接触したキー３０のうち、最も上段の行に配置されたキー３０（上段接触キー）が一つであるか否かを判定する。また、携帯端末１００は、上段接触キーが一つである場合には、ステップ１４０の処理に移り、上段接触キーが複数である場合には、ステップ１５０の処理に移る。
【００４７】
ステップ１４０において、携帯端末１００は、最も上段の行に配置されたキー３０（上段接触キー）を有効接触キーとして特定する。
【００４８】
ステップ１５０において、携帯端末１００は、他の方法で有効接触キーを特定する。なお、他の方法としては、後述する第２実施形態〜第４実施形態に示す方法などが挙げられる。
【００４９】
ステップ１６０において、携帯端末１００は、有効接触キーとして特定されたキー３０に割り付けられた機能に係る表示を変更する。
【００５０】
（表示画面）
以下において、上述した表示部２０に表示される画面について、図面を参照しながら説明する。図６〜図９は、本発明の第１実施形態に係る表示部２０に表示される画面の一例を示す図である。なお、第１実施形態では、各キー３０（「１」〜「９」キー）にそれぞれ割り付けられた機能に係る説明の全てが予め表示されており、ユーザが接触したキー３０に割り付けられた機能に係る説明がフォーカスして表示される。
【００５１】
図６に示すように、「１」キー及び「４」キーにユーザが接触した場合には、ユーザが接触したキー３０のうち、最も上段の行に配置された「１」キーに割り付けられた機能に係る説明、すなわち、メール編集画面を呼び出す機能に係る説明（メールの文字列）がフォーカスして表示される。
【００５２】
このように、ユーザが接触したキー３０のうち、最も上段の行に配置されたキー３０（上段接触キー）が一つである場合には、その上段接触キーに割り付けられた機能に係る説明がフォーカスして表示される。
【００５３】
また、図７に示すように、「１」キー、「４」キー及び「５」キーにユーザが接触した場合には、ユーザが接触したキー３０のうち、最も上段の行に配置された「１」キーに割り付けられた機能に係る説明、すなわち、メール編集画面を呼び出す機能に係る説明（メールの文字列）がフォーカスして表示される。
【００５４】
このように、ユーザが接触したキー３０のうち、最も上段の行に配置されたキー３０（上段接触キー）が一つである場合には、上段接触キーよりも下段に配置されたキー３０（下段接触キー）が複数であっても、その上段接触キーに割り付けられた機能に係る説明がフォーカスして表示される。
【００５５】
さらに、図８に示すように、「１」キー、「４」キー、「５」キー、「７」キー及び「８」キーにユーザが接触した場合には、ユーザが接触したキー３０のうち、最も上段の行に配置された「１」キーに割り付けられた機能に係る説明、すなわち、メール編集画面を呼び出す機能に係る説明（メールの文字列）がフォーカスして表示される。
【００５６】
このように、ユーザが接触したキー３０のうち、最も上段の行に配置されたキー３０（上段接触キー）が一つである場合には、上段接触キーよりも下段に配置されたキー３０（下段接触キー）が複数の行に亘っていても、その上段接触キーに割り付けられた機能に係る説明がフォーカスして表示される。
【００５７】
同様に、図９に示すように、「２」キー、「４」キー、「５」キー及び「７」キーにユーザが接触した場合には、ユーザが接触したキー３０のうち、最も上段の行に配置された「２」キーに割り付けられた機能に係る説明、すなわち、ネットワークに接続する機能に係る説明（ＮＷ接続の文字列）がフォーカスして表示される。
【００５８】
（作用及び効果）
本発明の第１実施形態に係る携帯端末１００によれば、携帯端末１００は、ユーザが接触したキー３０のうち、最も上段の行に配置された上段接触キーが一つである場合には、その上段接触キーを有効接触キーとして特定する。
【００５９】
このように、ユーザがキー３０に接触する場合に、ユーザは指先でキー３０に接触することが一般的であり、ユーザが意図して接触したキー３０よりも上段の行に配置されたキー３０にユーザが接触する可能性が低いことに着目して、有効接触キーを特定する基準（キー特定基準）が定められている。
【００６０】
従って、携帯端末１００は、ユーザが誤って複数のキー３０に接触した場合などであっても、ユーザが意図して接触したキー３０を特定する精度を高めることができる。
【００６１】
［第２実施形態］
以下において、本発明の第２実施形態に係る携帯端末について、図面を参照しながら説明する。なお、以下においては、上述した第１実施形態と相違する点について主として説明する。
【００６２】
具体的には、上述した第１実施形態は、上段接触キーが一つである場合に携帯端末が有効接触キーを特定する実施形態であるが、第２実施形態は、上段接触キーが複数である場合に携帯端末が有効接触キーを特定する実施形態である。
【００６３】
（制御基板の構成）
以下において、本発明の第２実施形態に係る制御基板１０ｃの構成について、図面を参照しながら説明する。図１０は、本発明の第２実施形態に係る制御基板１０ｃの構成を示すブロック図である。なお、図１０では、図３に示したブロック図と同じ構成について、同一の参照番号が付与されている。
【００６４】
図１０に示すように、制御基板１０ｃは、接触検出インターフェース１１〜表示制御部１５に加えて、重心座標検出部１６を有する。
【００６５】
重心座標検出部１６は、ユーザが接触したキー３０のうち、最も上段の行に配置されたキー３０（上段接触キー）が複数である場合に、複数の上段接触キーに応じて定められる一の位置である上段代表位置を特定する。具体的には、重心座標検出部１６は、複数の上段接触キーの重心となる座標（ｋｃ１）を検出し、検出した座標を上段代表位置として特定する。
【００６６】
また、重心座標検出部１６は、ユーザが接触したキー３０のうち、上段接触キーよりも下段に配置されたキー３０（下段接触キー）に応じて定められる一の位置である下段代表位置を特定する。具体的には、重心座標検出部１６は、下段接触キーの重心となる座標を検出し、検出した座標（ｋｃ２）を下段代表位置として特定する。
【００６７】
制御部１４は、ユーザが接触したキー３０のうち、最も上段の行に配置されたキー３０（上段接触キー）が複数である場合に、上段代表位置と下段代表位置との左右方向における位置関係に応じて、複数の上段接触キーの中から有効接触キーを特定する。具体的には、制御部１４は、上段代表位置（ｋｃ１）が下段代表位置（ｋｃ２）よりも右側である場合には、最も右側に配置された上段接触キーを有効接触キーとして特定する。また、制御部１４は、上段代表位置（ｋｃ１）が下段代表位置（ｋｃ２）よりも左側である場合には、最も左側に配置された上段接触キーを有効接触キーとして特定する。
【００６８】
（携帯端末の動作）
以下において、本発明の第２実施形態に係る携帯端末１００の動作について、図面を参照しながら説明する。図１１は、本発明の第２実施形態に係る携帯端末１００の動作を示すフロー図である。なお、図１１では、図５に示したフロー図と同じ処理について、同一のステップ番号が付与されている。
【００６９】
図１１に示すように、ステップ２１０において、携帯端末１００は、ユーザが接触したキー３０のうち、最も上段の行に配置されたキー３０（上段接触キー）が互いに隣接したキー３０であるか否かを判定する。また、携帯端末１００は、上段接触キーが互いに隣接したキー３０である場合には、ステップ２２０の処理に移り、上段接触キーが互いに隣接していないキー３０である場合には、ステップ１５０の処理に移る。
【００７０】
なお、ステップ２１０の処理は、ステップ１３０の処理において、ユーザが接触したキー３０のうち、最も上段の行に配置されたキー３０（上段接触キー）が複数であると判定された場合に行われる処理である。
【００７１】
ステップ２２０において、携帯端末１００は、複数の上段接触キーの重心となる座標（ｋｃ１）を検出する。また、携帯端末１００は、特定した座標（ｋｃ１）を上段代表位置として特定する。
【００７２】
ステップ２３０において、携帯端末１００は、上段接触キーよりも下段に配置されたキー３０（下段接触キー）の重心となる座標（ｋｃ２）を検出する。また、携帯端末１００は、特定した座標（ｋｃ２）を下段代表位置として特定する。
【００７３】
ステップ２４０において、携帯端末１００は、ステップ２２０で検出された座標（ｋｃ１）がステップ２３０で検出された座標（ｋｃ２）よりも右側であるか否かを判定する。また、携帯端末１００は、座標（ｋｃ１）が座標（ｋｃ２）よりも右側である場合には、ステップ２６０の処理に移り、座標（ｋｃ１）が座標（ｋｃ２）よりも右側でない場合には、ステップ２５０の処理に移る。
【００７４】
ステップ２５０において、携帯端末１００は、ユーザが接触したキー３０のうち、最も上段の行に配置されたキー３０（上段接触キー）の中から、最も左側に配置された上段接触キーを有効接触キーとして特定する。
【００７５】
ステップ２６０において、携帯端末１００は、ユーザが接触したキー３０のうち、最も上段の行に配置されたキー３０（上段接触キー）の中から、最も右側に配置された上段接触キーを有効接触キーとして特定する。
【００７６】
（表示画面）
以下において、上述した表示部２０に表示される画面について、図面を参照しながら説明する。図１２及び図１３は、本発明の第２実施形態に係る表示部２０に表示される画面の一例を示す図である。なお、第２実施形態では、第１実施形態と同様に、各キー３０（「１」〜「９」キー）にそれぞれ割り付けられた機能に係る説明の全てが予め表示されており、ユーザが接触したキー３０に割り付けられた機能に係る説明がフォーカスして表示される。
【００７７】
図１２に示すように、「１」キー、「２」キー及び「４」キーにユーザが接触した場合には、ユーザが接触したキー３０のうち、上段接触キー（「１」キー及び「２」キー）の中で最も右側に配置された「２」キーに割り付けられた機能に係る説明、すなわち、ネットワークに接続する機能に係る説明（ＮＷ接続の文字列）がフォーカスして表示される。
【００７８】
このように、ユーザが接触したキー３０のうち、最も上段の行に配置されたキー３０（上段接触キー）が複数であり、上段代表位置（ｋｃ１）が下段代表位置（ｋｃ２）よりも右側である場合には、最も右側に配置された上段接触キーに割り付けられた機能に係る説明がフォーカスして表示される。
【００７９】
一方、図１３に示すように、「１」キー、「２」キー及び「５」キーにユーザが接触した場合には、ユーザが接触したキー３０のうち、上段接触キー（「１」キー及び「２」キー）の中で最も左側に配置された「１」キーに割り付けられた機能に係る説明、すなわち、メール編集画面を呼び出す機能に係る説明（メールの文字列）がフォーカスして表示される。
【００８０】
このように、ユーザが接触したキー３０のうち、最も上段の行に配置されたキー３０（上段接触キー）が複数であり、上段代表位置（ｋｃ１）が下段代表位置（ｋｃ２）よりも左側である場合には、最も左側に配置された上段接触キーに割り付けられた機能に係る説明がフォーカスして表示される。
【００８１】
（作用及び効果）
本発明の第２実施形態に係る携帯端末１００によれば、携帯端末１００は、ユーザが接触したキー３０のうち、最も上段の行に配置された上段接触キーが複数である場合に、上段代表位置と下段代表位置との左右方向における位置関係に応じて、複数の上段接触キーの中から有効接触キーを特定する。
【００８２】
このように、ユーザが右手でキー３０に接触する場合に、ユーザは指先でキー３０に接触することが一般的であり、ユーザが意図して接触したキー３０よりも左側の行に配置されたキー３０にユーザが接触する可能性が低いことに着目して、有効接触キーを特定する基準（キー特定基準）が定められている。
【００８３】
同様に、ユーザが左手でキー３０に接触する場合に、ユーザは指先でキー３０に接触することが一般的であり、ユーザが意図して接触したキー３０よりも右側の行に配置されたキー３０にユーザが接触する可能性が低いことに着目して、有効接触キーを特定する基準（キー特定基準）が定められている。
【００８４】
従って、携帯端末１００は、上段接触キーが複数であっても、ユーザが誤って複数のキー３０に接触した場合などであっても、ユーザが意図して接触したキー３０を特定する精度を高めることができる。
【００８５】
［第３実施形態］
以下において、本発明の第３実施形態に係る携帯端末について、図面を参照しながら説明する。なお、以下においては、上述した第２実施形態と相違する点について主として説明する。
【００８６】
具体的には、上述した第２実施形態では、上段代表位置（ｋｃ１）が下段代表位置（ｋｃ２）よりも右側である場合に、最も右側に配置された上段接触キーに割り付けられた機能に係る説明がフォーカスして表示され、上段代表位置（ｋｃ１）が下段代表位置（ｋｃ２）よりも左側である場合に、最も左側に配置された上段接触キーに割り付けられた機能に係る説明がフォーカスして表示される。
【００８７】
これに対して、第３実施形態は、上段代表位置（ｋｃ１）と下段代表位置（ｋｃ２）との左右方向における位置が同じである場合に携帯端末が有効接触キーを特定する実施形態である。
【００８８】
（制御基板の構成）
以下において、本発明の第３実施形態に係る制御基板１０ｃの構成について、図面を参照しながら説明する。図１４は、本発明の第３実施形態に係る制御基板１０ｃの構成を示すブロック図である。なお、図１４では、図１０に示したブロック図と同じ構成について、同一の参照番号が付与されている。
【００８９】
図１４に示すように、制御基板１０ｃは、接触検出インターフェース１１〜重心座標検出部１６に加えて、特定履歴記憶部１７を有する。
【００９０】
特定履歴記憶部１７は、上段代表位置（ｋｃ１）と下段代表位置（ｋｃ２）との位置関係に応じて有効接触キーを特定した履歴である特定履歴結果を記憶する。具体的には、特定履歴記憶部１７は、最も右側に配置された上段接触キーが有効接触キーとして特定された回数と、最も左側に配置された上段接触キーが有効接触キーとして特定された回数との差分を計数するカウンタ（Ｃｎｔ）である。
【００９１】
なお、第３実施形態に係るカウンタ（Ｃｎｔ）では、最も右側に配置された上段接触キーが有効接触キーとして特定されると、カウンタ（Ｃｎｔ）の値に“１”が加算され、最も左側に配置された上段接触キーが有効接触キーとして特定されると、カウンタ（Ｃｎｔ）の値から“１”が減算される。また、上段代表位置（ｋｃ１）と下段代表位置（ｋｃ２）との左右方向における位置が同じである場合には、カウンタ（Ｃｎｔ）の値は変更されない。
【００９２】
制御部１４は、上段代表位置（ｋｃ１）と下段代表位置（ｋｃ２）との左右方向における位置が同じである場合には、上段代表位置（ｋｃ１）と下段代表位置（ｋｃ２）との位置関係に応じて有効接触キーを特定した履歴（特定履歴結果）を参照して有効接触キーを特定する。具体的には、制御部１４は、カウンタ（Ｃｎｔ）の値が正の値である場合には、最も右側に配置された上段接触キーを有効接触キーとして特定する。一方、カウンタ（Ｃｎｔ）の値が０以下である場合には、最も左側に配置された上段接触キーを有効接触キーとして特定する。
【００９３】
（携帯端末の動作）
以下において、本発明の第３実施形態に係る携帯端末１００の動作について、図面を参照しながら説明する。図１５は、本発明の第３実施形態に係る携帯端末１００の動作を示すフロー図である。なお、図１５では、図１１に示したフロー図と同じ処理について、同一のステップ番号が付与されている。
【００９４】
図１５に示すように、ステップ３１０において、携帯端末１００は、カウンタ（Ｃｎｔ）の値に“１”を加算する。なお、ステップ３１０の処理は、ステップ２４０において、上段代表位置（ｋｃ１）が下段代表位置（ｋｃ２）よりも右側であると判定された場合に行われる処理である。
【００９５】
ステップ３２０において、携帯端末１００は、上段代表位置（ｋｃ１）が下段代表位置（ｋｃ２）よりも左側であるか否かを判定する。また、携帯端末１００は、上段代表位置（ｋｃ１）が下段代表位置（ｋｃ２）よりも左側である場合には、ステップ３３０の処理に移り、上段代表位置（ｋｃ１）と下段代表位置（ｋｃ２）との左右方向における位置が同じである場合には、ステップ３４０の処理に移る。
【００９６】
なお、ステップ３２０の処理は、ステップ２４０において、上段代表位置（ｋｃ１）が下段代表位置（ｋｃ２）よりも右側であると判定されなかった場合に行われる処理である。
【００９７】
ステップ３３０において、携帯端末１００は、カウンタ（Ｃｎｔ）の値から“１”を減算する。
【００９８】
ステップ３４０において、携帯端末１００は、カウンタ（Ｃｎｔ）の値を読み出すとともに、カウンタ（Ｃｎｔ）の値が正であるか否かを判定する。また、携帯端末１００は、カウンタ（Ｃｎｔ）の値が正である場合には、ステップ２６０の処理に移り、カウンタ（Ｃｎｔ）の値が正でない場合には、ステップ２５０の処理に移る。
【００９９】
このように、携帯端末１００は、上段代表位置（ｋｃ１）と下段代表位置（ｋｃ２）との左右方向における位置が同じである場合には、カウンタ（Ｃｎｔ）の値に応じて有効接触キーを特定する。
【０１００】
なお、第３実施形態では、上段代表位置（ｋｃ１）と下段代表位置（ｋｃ２）との左右方向における位置が同じである場合に、カウンタ（Ｃｎｔ）の値に応じて有効接触キーが特定されるが、これに限定されるものではない。
【０１０１】
具体的には、上段接触キーが複数であり、かつ、上段接触キーよりも下段に配置された下段接触キーがない場合に、カウンタ（Ｃｎｔ）の値に応じて有効接触キーが特定されてもよい。
【０１０２】
（表示画面）
以下において、本発明の第３実施形態に係る表示部２０に表示される画面について、図面を参照しながら説明する。図１６は、本発明の第３実施形態に係る表示部２０に表示される画面を示す図である。なお、第３実施形態では、第２実施形態と同様に、各キー３０（「１」〜「９」キー）にそれぞれ割り付けられた機能に係る説明の全てが予め表示されており、ユーザが接触したキー３０に割り付けられた機能に係る説明がフォーカスして表示される。また、図１６では、上述したカウンタ（Ｃｎｔ）の値が“０”以下である場合を例に挙げて説明する。
【０１０３】
図１６に示すように、「１」キー、「２」キー、「４」キー及び「５」キーにユーザが接触した場合には、ユーザが接触したキー３０のうち、上段接触キー（「１」キー及び「２」キー）の中で最も左側に配置された「１」キーに割り付けられた機能に係る説明、すなわち、メール編集画面を呼び出す機能に係る説明（メールの文字列）がフォーカスして表示される。
【０１０４】
このように、ユーザが接触したキー３０のうち、最も上段の行に配置されたキー３０（上段接触キー）が複数であり、上段代表位置（ｋｃ１）と下段代表位置（ｋｃ２）との左右方向における位置が同じである場合には、カウンタ（Ｃｎｔ）の値に応じて特定された上段接触キーに割り付けられた機能に係る説明がフォーカスして表示される。
【０１０５】
（作用及び効果）
本発明の第３実施形態に係る携帯端末１００によれば、携帯端末１００は、上段代表位置と下段代表位置との左右方向における位置が同じである場合に、上段代表位置（ｋｃ１）と下段代表位置（ｋｃ２）との位置関係に応じて有効接触キーを特定した履歴（特定履歴結果；カウンタ（Ｃｎｔ））を参照して有効接触キーを特定する。
【０１０６】
このように、ユーザが誤って複数のキー３０に接触した場合に、そのユーザが誤操作する可能性が高いキー３０の傾向が特定履歴結果（カウンタ（Ｃｎｔ））に反映されることに着目して、有効接触キーを特定する基準（キー特定基準）が定められている。
【０１０７】
従って、携帯端末１００は、上段代表位置と下段代表位置との左右方向における位置が同じである場合であっても、ユーザが誤って複数のキー３０に接触した場合などであっても、ユーザが意図して接触したキー３０を特定する精度を高めることができる。
【０１０８】
また、携帯端末１００は、上段接触キーが複数であり、かつ、上段接触キーよりも下段に配置された下段接触キーがない場合であっても、ユーザが誤って複数のキー３０に接触した場合などであっても、ユーザが意図して接触したキー３０を特定する精度を高めることができる。
【０１０９】
［第４実施形態］
以下において、本発明の第４実施形態に係る携帯端末について、図面を参照しながら説明する。なお、以下においては、上述した第３実施形態と相違する点について主として説明する。
【０１１０】
具体的には、第４実施形態は、ユーザが接触したキー３０が互いに隣接していない場合に、ユーザが接触したキー３０の中から有効接触キーを特定する実施形態である。
【０１１１】
（制御基板の構成）
以下において、本発明の第４実施形態に係る制御基板１０ｃの構成について、図面を参照しながら説明する。図１７は、本発明の第４実施形態に係る制御基板１０ｃの構成を示すブロック図である。なお、図１７では、図１４に示したブロック図と同じ構成について、同一の参照番号が付与されている。
【０１１２】
図１７に示すように、制御基板１０ｃは、接触検出インターフェース１１〜特定履歴記憶部１７に加えて、グループ化部１８と、接触時刻記憶部１９とを有する。
【０１１３】
グループ化部１８は、複数のキー３０にユーザが接触すると、ユーザが接触したキー３０のいずれかと隣接するキー３０を一のキー群として、ユーザが接触したキー３０をキー群にグループ化する。具体的には、グループ化部１８は、ユーザが接触したキー３０が上下方向で隣接している場合、又は、ユーザが接触したキー３０が左右方向で隣接している場合には、これらのキー３０を一のキー群としてグループ化する。なお、グループ化部１８は、ユーザが接触したキー３０が斜め方向に並んでいるのみの位置関係である場合には、これらのキー３０を別々なキー群としてグループ化する。なお、キー群に含まれるキー３０は、一つであっても、複数であってもよい。
【０１１４】
接触時刻記憶部１９は、ユーザが接触したキー３０と、ユーザがキー３０に接触した時刻（接触時刻）とを対応付けて、接触時刻情報として記憶する。なお、接触時刻情報の詳細については後述する（図１８を参照）。
【０１１５】
制御部１４は、キー群が複数である場合に、接触時刻が最も遅いキー３０を含むキー群を特定する。また、制御部１４は、接触時刻が最も遅いキー３０を含むキー群の中から有効接触キーを特定する。なお、有効接触キーの特定方法としては、上述した第１実施形態〜第３実施形態に記載した方法が用いられる。
【０１１６】
（接触時刻情報）
以下において、上述した接触時刻情報について、図面を参照しながら説明する。図１８は、本発明の第４実施形態に係る接触時刻情報の一例を示す図である。
【０１１７】
図１８（ａ）に示すように、「１」キー及び「３」キーにユーザが接触した場合には、接触時刻記憶部１９は、「１」キーとユーザが「１」キーに接触した時刻（接触時刻）とを対応付けて記憶するとともに、「３」キーとユーザが「３」キーに接触した時刻（接触時刻）とを対応付けて記憶する。なお、「１」キー及び「３」キーは、互いに隣接していないため、それぞれ異なるキー群（第１キー群及び第２キー群）としてグループ化される。
【０１１８】
また、図１８（ｂ）に示すように、「１」キー、「３」キー及び「５」キーにユーザが接触した場合には、接触時刻記憶部１９は、「１」キー、「３」キー及び「５」キーにユーザが接触した時刻（接触時刻）と、これらのキーとをそれぞれ対応付けて記憶する。なお、「１」キー、「３」キー及び「５」キーは、互いに隣接していないため、それぞれ異なるキー群（第１キー群、第２キー群及び第３キー群）としてグループ化される。
【０１１９】
さらに、図１８（ｃ）に示すように、「１」キー、「４」キー、「６」キー及び「７」キーにユーザが接触した場合には、接触時刻記憶部１９は、「１」キー、「４」キー、「６」キー及び「７」キーにユーザが接触した時刻（接触時刻）と、これらのキーとをそれぞれ対応付けて記憶する。なお、「１」キー、「４」キー及び「７」キーは、これらのキーのいずれかと隣接しているため、一のキー群（第２キー群）としてグループ化される。一方、「６」キーは、「１」キー、「４」キー及び「７」キーのいずれとも隣接していないため、「１」キー、「４」キー及び「７」キー（第２キー群）とは異なるキー群（第１キー群）としてグループ化される。
【０１２０】
また、図１８（ｄ）に示すように、「１」キー、「７」キー、「８」キー及び「９」キーにユーザが接触した場合には、接触時刻記憶部１９は、「１」キー、「７」キー、「８」キー及び「９」キーにユーザが接触した時刻（接触時刻）と、これらのキーとをそれぞれ対応付けて記憶する。なお、「７」キー、「８」キー及び「９」キーは、これらのキーのいずれかと隣接しているため、一のキー群（第２キー群）としてグループ化される。一方、「１」キーは、「７」キー、「８」キー及び「９」キーのいずれとも隣接していないため、「７」キー、「８」キー及び「９」キー（第２キー群）とは異なるキー群（第１キー群）としてグループ化される。
【０１２１】
（携帯端末の動作）
以下において、本発明の第４実施形態に係る携帯端末１００の動作について、図面を参照しながら説明する。図１９は、本発明の第４実施形態に係る携帯端末１００の動作を示すフロー図である。なお、図１９では、図１５に示したフロー図と同じ処理について、同一のステップ番号が付与されている。
【０１２２】
図１９に示すように、ステップ４１０において、携帯端末１００は、ユーザが接触したキー３０が全て連続しているか否かを判定する。すなわち、携帯端末１００は、ユーザが接触したキー３０の中に、ユーザが接触したキー３０のいずれとも隣接していないキー３０がないか否かを判定する。また、携帯端末１００は、ユーザが接触したキー３０のいずれとも隣接していないキー３０がない場合には、ステップ４２０の処理に移り、ユーザが接触したキー３０のいずれとも隣接していないキー３０がある場合には、ステップ４３０の処理に移る。なお、ステップ４１０の処理は、ステップ１１０において、ユーザが接触したキー３０が複数であると判定された場合に行われる処理である。
【０１２３】
ステップ４２０において、携帯端末１００は、上述した第１実施形態〜第３実施形態に記載した方法で有効接触キーを特定する。
【０１２４】
ステップ４３０において、携帯端末１００は、ユーザが接触したキー３０のいずれかと隣接するキー３０を一のキー群として、ユーザが接触したキー３０を複数のキー群にグループ化する。
【０１２５】
ステップ４４０において、携帯端末１００は、最も遅い時刻に接触されたキー３０（すなわち、接触時刻が最も遅いキー３０）を含むキー群を特定する。
【０１２６】
ステップ４５０において、携帯端末１００は、ステップ４４０で特定されたキー群の中から、上述した第１実施形態〜第３実施形態に記載した方法で有効接触キーを特定する。
【０１２７】
（表示画面）
以下において、上述した表示部２０に表示される画面について、図面を参照しながら説明する。図２０〜図２３は、本発明の第４実施形態に係る表示部２０に表示される画面の一例を示す図である。なお、第４実施形態では、第３実施形態と同様に、各キー３０（「１」〜「９」キー）にそれぞれ割り付けられた機能に係る説明の全てが予め表示されており、ユーザが接触したキー３０に割り付けられた機能に係る説明がフォーカスして表示される。
【０１２８】
図２０は、「１」キー及び「３」キーにユーザが接触した場合に表示部２０に表示される画面の一例を示す図である。なお、図２０では、各キー３０の接触時刻は、上述した図１７（ａ）に対応している。
【０１２９】
図２０に示すように、接触時刻が最も遅い「３」キーに割り付けられた機能に係る説明、すなわち、カメラを起動する機能に係る説明（カメラの文字列）がフォーカスして表示される。
【０１３０】
このように、携帯端末１００は、ユーザが接触したキー３０を複数のキー群にグループ化した場合には、接触時刻が最も遅いキー３０を含むキー群を特定する。また、携帯端末１００は、特定したキー群の中から有効接触キーを特定し、特定した有効接触キーに割り付けられた機能に係る説明を表示する。
【０１３１】
同様に、図２１は、「１」キー、「３」キー及び「５」キーにユーザが接触した場合に表示部２０に表示される画面の一例を示す図である。なお、図２１では、各キー３０の接触時刻は、上述した図１７（ｂ）に対応している。
【０１３２】
図２１に示すように、接触時刻が最も遅い「５」キーに割り付けられた機能に係る説明、すなわち、電話帳を呼び出す機能に係る説明（電話帳の文字列）がフォーカスして表示される。なお、「１」キー、「３」キー及び「５」キーは、これらのキーのいずれとも隣接していないため、異なるキー群にグループ化される。
【０１３３】
図２０と同様に、携帯端末１００は、ユーザが接触したキー３０を複数のキー群にグループ化した場合には、接触時刻が最も遅いキー３０を含むキー群を特定する。また、携帯端末１００は、特定したキー群の中から有効接触キーを特定し、特定した有効接触キーに割り付けられた機能に係る説明を表示する。
【０１３４】
図２２は、「１」キー、「４」キー、「６」キー及び「７」キーにユーザが接触した場合に表示部２０に表示される画面の一例を示す図である。なお、図２２では、各キー３０の接触時刻は、上述した図１７（ｃ）に対応している。
【０１３５】
図２２に示すように、接触時刻が最も遅い「１」キー（「４」キー又は「７」キー）を含むキー群の中で、最も上段に配置された「１」キーに割り付けられた機能に係る説明、すなわち、メール編集画面を呼び出す機能に係る説明（メールの文字列）がフォーカスして表示される。なお、「１」キー、「４」キー及び「７」キーは、これらのキーのいずれかと隣接しているため、一のキー群にグループ化される。一方、「６」キーは、「１」キー、「４」キー及び「７」キーのいずれとも隣接していないため、「１」キー、「４」キー及び「７」キーとは異なるキー群にグループ化される。
【０１３６】
このように、携帯端末１００は、ユーザが接触したキー３０を複数のキー群にグループ化した場合には、接触時刻が最も遅いキー３０を含むキー群を特定する。また、携帯端末１００は、特定したキー群に含まれるキー３０のうち、最も上段の行に配置されたキー３０（上段接触キー）が一つである場合には、上段接触キーを有効接触キーとして特定し、特定した有効接触キーに割り付けられた機能に係る説明を表示する（第１実施形態を参照）。
【０１３７】
図２３は、「１」キー、「７」キー、「８」キー及び「９」キーにユーザが接触した場合に表示部２０に表示される画面の一例を示す図である。なお、図２３では、各キー３０の接触時刻は、上述した図１７（ｄ）に対応している。また、上述したカウンタ（Ｃｎｔ）の値は、“０”よりも大きい値である。
【０１３８】
図２３に示すように、接触時刻が最も遅い「７」キー（「８」キー又は「９」キー）を含むキー群の中で、最も右側に配置された「９」キーに割り付けられた機能に係る説明、すなわち、設定を変更するための画面を呼び出す機能に係る説明（設定の文字列）がフォーカスして表示される。なお、「７」キー、「８」キー及び「９」キーは、これらのキーのいずれかと隣接しているため、一のキー群にグループ化される。一方、「１」キーは、「７」キー、「８」キー及び「９」キーのいずれとも隣接していないため、「７」キー、「８」キー及び「９」キーとは異なるキー群にグループ化される。
【０１３９】
このように、携帯端末１００は、ユーザが接触したキー３０を複数のキー群にグループ化した場合には、接触時刻が最も遅いキー３０を含むキー群を特定する。また、携帯端末１００は、特定したキー群に含まれるキー３０のうち、最も上段の行に配置されたキー３０（上段接触キー）が複数であり、上段接触キーよりも下段に配置された下段接触キーがない場合には、カウンタ（Ｃｎｔ）の値に応じて有効接触キーを特定し、特定した有効接触キーに割り付けられた機能に係る説明を表示する（第３実施形態を参照）。
【０１４０】
（作用及び効果）
本発明の第４実施形態に係る携帯端末１００によれば、携帯端末１００は、複数のキー３０にユーザが接触すると、ユーザが接触したキー３０のいずれかと隣接するキー３０を一のキー群として、ユーザが接触したキー３０をキー群にグループ化する。
【０１４１】
また、携帯端末１００は、キー群が複数である場合に、接触時刻が最も遅いキー３０を含むキー群を特定し、そのキー群の中から有効接触キーを特定する。
【０１４２】
このように、ユーザが両手で携帯端末１００を操作する場合を想定すると、一方の手で携帯端末１００を支持した後に、他方の手で携帯端末１００を操作することが一般的である。すなわち、携帯端末１００を支持する一方の手で誤ってキー３０に接触する可能性があることに着目して、有効接触キーを特定する基準（キー特定基準）が定められている。
【０１４３】
従って、携帯端末１００は、携帯端末１００を支持する一方の手でユーザが誤ってキー３０に接触した場合などであっても、ユーザが意図して接触したキー３０を特定する精度を高めることができる。
【０１４４】
［変更例］
上述した第１実施形態〜第４実施形態では、機能に係る説明は、表示部２０に表示されることによってユーザに通知されるが、これに限定されるものではなく、聴覚や触覚を通じてユーザに通知されてもよい。例えば、機能に係る説明は、音声や点字などの手法によってユーザに通知されてもよい。
【０１４５】
また、第１実施形態〜第４実施形態に係る携帯端末１００の動作をコンピュータに実行させるためのプログラムを提供してもよい。
【０１４６】
さらに、第１実施形態〜第４実施形態では、タッチパッド１０ｂは、ユーザがキー３０に接触したことのみを検出するが、これに限定されるものではなく、ユーザがキー３０に接触したこと及びユーザがキー３０を押下したこと検出してもよい。
【０１４７】
また、携帯端末１００は、ユーザが接触したキー３０のうち、ユーザが接触した面積が最も大きいキー３０を有効接触キーとして特定してもよい。
【０１４８】
さらに、携帯端末１００は、ユーザが接触したキー３０のうち、ユーザが接触した際にキー３０に加えられた圧力が最も大きいキー３０を有効接触キーとして特定してもよい。
【図面の簡単な説明】
【０１４９】
【図１】本発明の第１実施形態に係る携帯端末１００を示す外観図である。
【図２】本発明の第１実施形態に係る携帯端末１００を示す分解図である。
【図３】本発明の第１実施形態に係る制御基板１０ｃを示すブロック図である。
【図４】本発明の第１実施形態に係るキー割付情報を示す図である。
【図５】本発明の第１実施形態に係る携帯端末１００の動作を示すフロー図である。
【図６】本発明の第１実施形態に係る表示部２０に表示される画面を示す図である（その１）。
【図７】本発明の第１実施形態に係る表示部２０に表示される画面を示す図である（その２）。
【図８】本発明の第１実施形態に係る表示部２０に表示される画面を示す図である（その３）。
【図９】本発明の第１実施形態に係る表示部２０に表示される画面を示す図である（その４）。
【図１０】本発明の第２実施形態に係る制御基板１０ｃを示すブロック図である。
【図１１】本発明の第２実施形態に係る携帯端末１００の動作を示すフロー図である。
【図１２】本発明の第２実施形態に係る表示部２０に表示される画面を示す図である（その１）。
【図１３】本発明の第２実施形態に係る表示部２０に表示される画面を示す図である（その２）。
【図１４】本発明の第３実施形態に係る制御基板１０ｃを示すブロック図である。
【図１５】本発明の第３実施形態に係る携帯端末１００の動作を示すフロー図である。
【図１６】本発明の第３実施形態に係る表示部２０に表示される画面を示す図である。
【図１７】本発明の第４実施形態に係る制御基板１０ｃを示すブロック図である。
【図１８】本発明の第４実施形態に係る接触時刻情報を示す図である。
【図１９】本発明の第４実施形態に係る携帯端末１００の動作を示すフロー図である。
【図２０】本発明の第４実施形態に係る表示部２０に表示される画面を示す図である（その１）。
【図２１】本発明の第４実施形態に係る表示部２０に表示される画面を示す図である（その２）。
【図２２】本発明の第４実施形態に係る表示部２０に表示される画面を示す図である（その３）。
【図２３】本発明の第４実施形態に係る表示部２０に表示される画面を示す図である（その４）。
【符号の説明】
【０１５０】
１０・・・本体部、１０ａ・・・キー配置面、１０ｂ・・・タッチパッド、１０ｃ・・・制御基板、１１・・・接触検出インターフェース、１２・・・押下検出インターフェース、１３・・・キー割付情報記憶部、１４・・・制御部、１５・・・表示制御部、１６・・・重心座標検出部、１７・・・特定履歴記憶部、１８・・・グループ化部、１９・・・接触時刻記憶部、２０・・・表示部、３０・・・キー、１００・・・携帯端末
【図１】
0004559328.tif 000002
【図２】
0004559328.tif 000003
【図３】
0004559328.tif 000004
【図４】
0004559328.tif 000005
【図５】
0004559328.tif 000006
【図６】
0004559328.tif 000007
【図７】
0004559328.tif 000008
【図８】
0004559328.tif 000009
【図９】
0004559328.tif 000010
【図１０】
0004559328.tif 000011
【図１１】
0004559328.tif 000012
【図１２】
0004559328.tif 000013
【図１３】
0004559328.tif 000014
【図１４】
0004559328.tif 000015
【図１５】
0004559328.tif 000016
【図１６】
0004559328.tif 000017
【図１７】
0004559328.tif 000018
【図１８】
0004559328.tif 000019
【図１９】
0004559328.tif 000020
【図２０】
0004559328.tif 000021
【図２１】
0004559328.tif 000022
【図２２】
0004559328.tif 000023
【図２３】
0004559328.tif 000024